(57)【要約】【課題】結束バンドのバンド部を引込み口の開口部から装置内部へ延びる引込経路に引込む際にバンド部の幅方向の位置決めだけでなく姿勢矯正をすること。【解決手段】  結束バンド１００のバンド部１０１を案内する案内手段１０が引込経路４１への引込み口４２に備えられ、案内手段１０は、引込経路４１に対して直交方向にスライド自在に対向し、互いに離間する開状態から互いに近接する閉状態への案内手段の移動に伴って結束バンド１００を引込み口４２の開口部４３に案内するバンド案内部１８が設けられ、閉状態において引込み口４２を構成する第１案内部材１１と第２案内部材２１との一対を備えた。【選択図】図３
2018030638.tif 000002
【特許請求の範囲】
【請求項１】
バンド部の基端側にバックル部を備えた結束バンドにおける前記バンド部を内部に引込み可能に開口する引込み口が設けられ、該引込み口より挿入された前記バンド部を切断するバンド切断装置であって、
前記バンド部を引込み口の開口部へ案内する案内手段が前記引込み口に備えられ、
前記案内手段は、
前記引込み口の開口部を端部として前記内部へ延びる引込経路に対して直交方向にスライド自在に対向するとともに、互いに離間する開状態から互いに近接する閉状態への前記案内手段の移動に伴って前記結束バンドを前記引込み口の開口部に案内するバンド案内部が設けられ、閉状態において前記引込み口を構成する第１案内部材と第２案内部材との一対を備えた
バンド切断装置。
【請求項２】
前記第１案内部材は、前記引込み口の上部又は下部を構成する基部と、前記引込み口の開口部の幅方向の両側において前記基部から前記第２案内部材の側へ突出する側壁部とで形成され、
前記バンド案内部は、前記側壁部に、前記側壁部の突出方向の先端部から前記基部側程、前記引込み口の開口部側へ傾斜した傾斜形状に形成されたガイド面としたものである
請求項１に記載のバンド切断装置。
【請求項３】
前記ガイド面は、上下方向に対して０度より大きく且つ４５度以下で傾斜した傾斜面で形成された
請求項２に記載のバンド切断装置。
【請求項４】
前記ガイド面は、前記上下方向に沿って配置された複数の前記傾斜面で構成された
請求項２又は３に記載のバンド切断装置。
【請求項５】
前記第１案内部材には、引込経路における前記内部から前記引込み口の開口部側の方向に相当する引込方向上流側に上流面が形成され、
前記ガイド面は、前記上流面と比較して摩擦係数が小さな円滑ガイド面で形成された
請求項２乃至４のいずれか１項に記載のバンド切断装置。
【請求項６】
前記引込経路における前記内部から前記引込み口の開口部側の方向に相当する引込方向上流側に配置された側の案内部材を上流側案内部材に設定するとともに、前記引込経路における前記引込み口の開口部側から前記内部の方向に相当する引込方向下流側に配置された側の案内部材を下流側案内部材に設定し、これら上流側案内部材と下流側案内部材とは引込経路においてずらして並設され、
前記上流側案内部材と前記下流側案内部材とのうち一方の案内部材は、前記前記第１案内部材であるとともに、前記上流側案内部材と前記下流側案内部材とのうち他方の案内部材は、前記第２案内部材であり、
前記上流側案内部材の前記引込方向上流側に有する上流面は、前記バックル部が当接可能に平坦状に形成されている
請求項１乃至５のいずれか１項に記載のバンド切断装置。
【請求項７】
前記一対の案内部材のうち、前記バックル部との当接面積が大きくなる側の案内部材を、前記上流側案内部材に設定した
請求項６に記載のバンド切断装置。
【請求項８】
前記上流側案内部材が固定案内部材で構成されるとともに、前記下流側案内部材が前記固定案内部材に対して開閉可能に移動する可動案内部材で構成された
請求項６、又は７に記載のバンド切断装置。
【発明の詳細な説明】
【技術分野】
【０００１】
□この発明は、例えば複数本から成る電線等の被結束物を結束バンドで締め付けて結束した状態でバンド部の残余部分を切断するバンド切断装置に関する。
【背景技術】
【０００２】
□従来からこの種のバンド切断装置としては、特許文献１の結束装置のように、複数本から成る電線等の被結束物に巻き掛けたバンド部を基端側に有するバックル部の通路に該バンド部の先端側から挿通し、該バックル部から延出したバンド部の延出部分を引張る引張り機能と、所定の締め付け力まで引張ると結束バンドの残余部分を切断する切断機構とを備えたものが知られている。
【０００３】
ところで一般に、切断機構に備えた切断刃によってバンド部の余剰部分を切断した切断端部の幅方向の両側の角部が鋭角状である場合には、その角部に人が触れてケガをするおそれがあるため、バンド部の余剰部分を切断刃によって切断する際には、例えば平面視で湾曲した切断刃を用いることで、バンド部の切断端部を切断刃の湾曲状の刃先形状に対応した鋭角状の角部を有しない切断形状とすることがしばしば行われる。
【０００４】
ただし、図１５（ａ）に示すように、バンド部（１２）を切断機構に備えた切断刃（５０）によって切断する際に、引張り機能により引張られたバンド部（１２）が切断刃（５０）に対して本来、配置されるべき基準位置（Ｌ１）に対して幅方向にずれている場合には、切断刃（５０）によって切断されたバンド部（１２）の切断端部の鋭角状の角部が切断除去されないまま残留するなど適切な切断形状とすることができないおそれがあった。  
なお、図１５（ａ）は、バンド部の基準位置への幅方向の位置決めを行わずに切断刃でバンド部を切断する様子を示す平面図である。
【０００５】
上述した特許文献１の結束装置は、図１５（ｂ）に示すように、先端部に口金（３）を備え、該口金（３）にはバンド部（１２）の余剰部分を挿通させる開口（３１）を有しており、ヘッド部（１３）（バックル部）から延出して開口（３１）に挿通させたバンド部（１２）を、該口金（３）の裏側で開口（３１）を横切るようにスライドするように配置した切断刃（５０）に対して幅方向の位置決めするものである。  
なお、図１５（ｂ）は、従来のバンド切断装置を用いてバンド部の幅方向の位置決めを行う様子を示す平面図である。
【０００６】
特許文献１の具体的なバンド部（１２）の切断刃（５０）に対する幅方向の位置決め手段は、図１５（ｂ）に示すように、口金（３）の前端面を、ヘッド部（１３）を受け止める受面（３２）としてその幅方向中央部に谷底が位置するような谷形に形成したものである。そしてこのように、受面（３２）を谷形に形成することで、ヘッド部（１３）が基準位置（Ｌ１）に対して幅方向に位置ずれした状態で配置された場合であっても（図１５（ｂ）中の仮想線で示したバンド部（１２）参照）、バンド部（１２）の余剰部分を引張り方向に引張ることで被結束物を引き締める際に、ヘッド部が受面（３２）を滑ってその受面（３２）の幅方向の基準位置（Ｌ１）に寄せられるため、該ヘッド部を受面（３２）の幅方向中央部に自然に位置決めすることができるものである。
【０００７】
しかしながら、図１５（ｃ）に示すように、バンド部（１２）がクランプ機構によって引張り方向に引張られヘッド部（１３）が口金（３）の受面（３２）に受け止められた際に、該ヘッド部が該受面（３２）の幅方向に対して平面視で傾いた姿勢で受け止められた場合には、上述したように口金（３）の受面（３２）が谷形であるが故に、ヘッド部（１３）は、引張り方向へのテンションが加わっている状況下においては幅方向へ位置決めされないばかりか姿勢矯正もされずに受面（３２）に対してコジる（引掛かる）ようにその傾いた姿勢のまま保たれるおそれがある。
【０００８】
このようにバンド部（１２）が平面視で傾いた姿勢のまま切断刃（５０）によって切断除去されると、図１５（ｄ）に示すように、該バンド部（１２）を所望の切断形状で切断することができないおそれがあった。
【０００９】
なお、図１５（ｃ）は、平面視で傾いたバンド部を従来の受面で受け止めた状態を示す様子を示す平面図であり、図１５（ｄ）は、バンド部を平面視で傾いた姿勢のまま切断刃で切断した切断端部を示す結束バンドの要部の平面図である。
【００１０】
また、バンド部を幅方向に直線状に延びる切断刃によって切断することで、バンド部の切断端部を幅方向に直線状に延びる切断形状とする場合においても、切断刃に対してバンド部が平面視で傾いた姿勢のまま切断すると、切断端部がバンド部の幅方向に対して直線状に傾斜した切断形状になる。そうすると、切断端部がバンド部の幅方向の長さに対して長くなり、その分、切断時に要する切断荷重が高くなることや、切断端部の幅方向の一方の角部が鋭角状になるおそれがあった。
【００１１】
すなわち、切断刃によってバンド部を切断する際に、切断端部の鋭角状の角部を切断除去する処理を行うか否かに関わらず、バンド部を切断刃に対して適切な姿勢で切断することが求められる。
【先行技術文献】
【特許文献】
【００１２】
【特許文献１】特許第３５３６０４５号公報
【発明の概要】
【発明が解決しようとする課題】
【００１３】
□そこでこの発明は、前記バンド部を引込み口の開口部から内部へ延びる引込経路に引込む際にバンド部の幅方向の位置決めだけでなく姿勢矯正をすることができるバンド切断装置の提供を目的とする。
【課題を解決するための手段】
【００１４】
□この発明は、バンド部の基端側にバックル部を備えた結束バンドにおける前記バンド部を内部に引込み可能に開口する引込み口が設けられ、該引込み口より挿入された前記バンド部を切断するバンド切断装置であって、前記バンド部を引込み口の開口部へ案内する案内手段が前記引込み口に備えられ、前記案内手段は、前記引込み口の開口部を端部として前記内部へ延びる引込経路に対して直交方向にスライド自在に対向するとともに、互いに離間する開状態から互いに近接する閉状態への前記案内手段の移動に伴って前記結束バンドを前記引込み口の開口部に案内するバンド案内部が設けられ、閉状態において前記引込み口を構成する第１案内部材と第２案内部材との一対を備えたことを特徴とする。
【００１５】
上記構成によれば、前記案内手段の開状態から閉状態への移動に伴ってバンド案内部により、前記結束バンドを前記引込み口の開口部に案内することによってバンド部を該引込み口の開口部へ幅寄せして位置決めすることができるとともに、前記結束バンドが引込経路に対して姿勢が傾いている場合にはその姿勢矯正も行うことができる。
【００１６】
これにより、バンド結束装置が、前記案内手段よりも引込経路の下流側（後述する引込方向下流側）に、バックル部から延出したバンド部を切断する切断刃が配設された構成である場合においては、バンド部を切断刃に対して適切な位置および姿勢で配置することができ、このような適切な位置および姿勢で配置したバンド部を切断刃で切断することで切断端部を例えば、角部を取り除いた適切な切断形状とすることができる。
【００１７】
この発明の態様として、前記第１案内部材は、前記引込み口の上部又は下部を構成する基部と、前記引込み口の開口部の幅方向の両側において前記基部から前記第２案内部材の側へ突出する側壁部とで形成され、前記バンド案内部は、前記側壁部に、前記側壁部の突出方向の先端部から前記基部側程、前記引込み口の開口部側へ傾斜した傾斜形状に形成されたガイド面とするものである。  
ここで、「先端部から前記基部側程、前記引込み口の開口部側へ傾斜した」とは、「先端部から前記基部側程、」ガイド面の「傾斜角度」が小さくなることをいう。
【００１８】
上記構成によれば、バンド部が基準位置に対して幅方向のいずれの側へ位置ずれしている場合であっても、前記案内手段の開状態から閉状態への移動に伴って幅方向へ位置ずれした側に有する側壁部に形成されたガイド面が結束バンドに引込経路に直交する方向から当接しながらガイドするため、結束バンドが案内手段に対して抉ることがなく該結束バンドを、前記引込み口の開口部の側へガイドすることができる。
【００１９】
なお、前記第１案内部材は、上述したように、基部と前記引込み口の幅方向の両側において前記基部から突出する側壁部とで形成されるが、第１案内部材だけでなく前記第２案内部材も同様に、基部と前記引込み口の幅方向の両側において前記基部から突出する側壁部とで形成してもよい。
【００２０】
またこの発明の態様として、前記ガイド面は、上下方向に対して０度より大きく且つ４５度以下で傾斜した傾斜面で形成されたものである。
【００２１】
このように前記ガイド面を、前記案内手段の上下方向に対して４５度以下で傾斜した傾斜面で形成することにより、前記案内手段が開状態から閉状態へ移動するに伴って第１案内部材と第２案内部材とで結束バンドを挟み込むようにガイドする際に、ガイド面に対して結束バンドを過度な荷重で上下方向に押し付けることがなく、ガイド面は結束バンドに適度に当接しながら前記引込み口の開口部の側へ該結束バンドをガイドすることができる。
【００２２】
一方、前記ガイド面を、前記案内手段の上下方向に対して０度より大きく傾斜した傾斜面で形成することにより、結束バンド部が前記引込み口の開口部に対して幅方向に位置ずれしている場合であっても、結束バンド部をガイド面によって前記引込み口の開口部の側へ確実にガイドすることができる。
【００２３】
ここで、前記傾斜面は、傾斜した平坦面に限らず傾斜した接線を有する曲面であってもよい。また前記上下方向は、引込経路に直交する直交方向であって前記案内手段の開閉方向、すなわち引込経路に沿って引き込まれるバンド部の厚み方向と一致する方向を示す。
【００２４】
またこの発明の態様として、前記ガイド面は、前記上下方向に沿って配置された複数の前記傾斜面で構成されたものである。
【００２５】
上記構成によれば、前記ガイド面を前記上下方向に沿って配置された複数の前記傾斜面で構成することで各傾斜面の傾斜角度に応じて結束バンドの幅方向へのガイド量を変更することができる。  
よって、前記上下方向に沿って結束バンドの幅方向のガイド量を適切に設定することが可能となる。
【００２６】
ここで、前記複数の傾斜面は、前記傾斜した平坦面と、接線角度が傾斜した前記曲面とのうち少なくとも一方の面で形成することができる。
【００２７】
またこの発明の態様として、前記第１案内部材には、引込経路における前記内部から前記引込み口の開口部側の方向に相当する引込方向上流側に上流面が形成され、前記ガイド面は、前記上流面と比較して摩擦係数が小さな円滑ガイド面で形成されたものである。
【００２８】
上記構成によれば、ガイド面は円滑ガイド面で形成されているため、円滑ガイド面が結束バンドに当接した際に該円滑ガイド面に結束バンドが引掛かることがなく、該円滑ガイド面によって結束バンドを前記引込み口の開口部の側にスムーズにガイドすることができる。
【００２９】
またこの発明の態様として、前記引込経路における前記内部から前記引込み口の開口部側の方向に相当する引込方向上流側に配置された側の案内部材を上流側案内部材に設定するとともに、前記引込経路における前記引込み口の開口部側から前記内部の方向に相当する引込方向下流側に配置された側の案内部材を下流側案内部材に設定し、これら上流側案内部材と下流側案内部材とは引込経路においてずらして並設され、前記上流側案内部材と前記下流側案内部材とのうち一方の案内部材は、前記前記第１案内部材であるとともに、前記上流側案内部材と前記下流側案内部材とのうち他方の案内部材は、前記第２案内部材であり、前記上流側案内部材の前記引込方向上流側に有する上流面は、前記バックル部が当接可能に平坦状に形成されたものである。
【００３０】
上記構成によれば、結束バンドが案内手段に対して平面視で傾いた姿勢である場合であっても、結束バンドが引込経路へ引込まれる際に前記上流側案内部材の平坦状の上流面にバックル部が当接することにより、バックル部の姿勢矯正をすることができる。
【００３１】
さらに、案内部材の開状態から閉状態への移動に伴って、バンド部は幅方向において前記引込み口の開口部に位置決めされるため、結束バンドの位置決めと姿勢矯正とを確実に行うことができる。
【００３２】
またこの発明の態様として、前記一対の案内部材のうち、前記バックル部との当接面積が大きくなる側の案内部材を、前記上流側案内部材に設定することができる。
【００３３】
上記構成によれば、結束バンドが引込方向下流側へ引張られる際に、バックル部との当接面積が大きな前記上流面によって該バックル部を安定して受け止めて姿勢矯正することができる。
【００３４】
またこの発明の態様として、前記上流側案内部材が固定案内部材で構成されるとともに、前記下流側案内部材が前記固定案内部材に対して開閉可能に移動する可動案内部材で構成されたものである。
【００３５】
このように、前記上流側案内部材を固定案内部材で構成することにより、案内手段が開状態から閉状態へ移動する際に、該上流側案内部材に設けた上流面がバックル部に対して移動することがないため、該上流面によってバックル部を安定して受け止めることができる。
【００３６】
一方、前記下流側案内部材を前記固定案内部材に対して開閉可能に移動する可動案内部材で構成することにより、下流側案内部材の移動に伴って上流側案内部材とともに結束バンドを幅方向に位置決めするとともに姿勢矯正することができる。
【発明の効果】
【００３７】
□結束バンドのバンド部を引込み口の開口部から装置内部へ延びる引込経路に引込む際にバンド部の幅方向の位置決めだけでなく姿勢矯正をすることができる。
【図面の簡単な説明】
【００３８】
【図１】本実施形態のバンド切断装置の概略構造を示す側面図。
【図２】バンド切断装置の先端側の内部構造を模式的に示した断面図。
【図３】本実施形態の案内金具の外観図。
【図４】本実施形態の案内金具の正面図。  開状態である場合の本実施形態の案内金具の正面図
【図５】案内金具によりバンド部を幅方向における引込み口の開口部に位置へ位置決めする実施例の説明図。
【図６】案内金具によりバンド部を幅方向における引込み口の開口部に位置決めする実施例の説明図。
【図７】バンド部の引張りの様子を示す説明図。
【図８】バンド部の余剰部分の切断の様子およびバンド部の切断端部を示す説明図。
【図９】本実施形態の案内金具によるバンド部の姿勢矯正の実施例の説明図。
【図１０】他の実施形態の案内金具の要部を示す正面図。
【図１１】他の実施形態の案内金具の正面図。
【図１２】他の実施形態の案内金具の外観図。
【図１３】他の実施形態のバンド切断装置の要部を示す側面図。
【図１４】ピストル型よりもホッチキス型のバンド切断装置に好適な実施例の説明図。
【図１５】従来のバンド切断装置の課題を説明する一部断面により示した平面図。
【発明を実施するための形態】
【００３９】
□この発明の一実施形態を、以下図面を用いて説明する。□
図１は本実施形態のバンド切断装置の概略構造を示す側面図、図２（ａ）は、バンド切断装置の先端側の内部構造を模式的に示した引込経路の幅方向中心に沿った断面の要部を模式的に示した縦断面図、図２（ｂ）は図２（ａ）中のＡ−Ａ線視した要部拡大図、図３は開状態である場合の本実施形態の案内金具の外観図、図４は開状態である場合の本実施形態の案内金具の正面図である。
【００４０】
本実施形態のバンド切断装置１は、結束バンド１００におけるバンド部１０１を装置本体内部に有する引込経路４１に引込んで結束した状態でバンド部１０１の残余部分を切断するバンド切断装置１であり、図１に示すように、手で握る握持部２、該握持部２の上部から前方へ延びる銃身部３、拳銃の引き金に相当する操作レバー４からなり、全体がハウジングで覆われたピストル型で構成している。
【００４１】
銃身部３は、前後方向に延びる固定銃身部５と、該固定銃身部５の下側に備えた可動銃身部６とで構成している。この可動銃身部６は、ピン等からなる回転軸７によって固定銃身部５の基部に枢着され、操作レバー４の握込み操作によって該回転軸７を支点として先端側が上下に揺動する構成としている。
【００４２】
図１〜図３に示すように、銃身部３の銃口部に相当する装置前端部（装置先端部）には、バンド部１０１を引込経路４１へ引き込み可能に開口した引込み口４２が設けられている。また、固定銃身部５と可動銃身部６との両先端部には、バンド部１０１を案内する案内金具１０を備え、引込み口４２はこの案内金具１０によって構成されている。
【００４３】
ここで上記の引込経路４１は、図２（ｂ）に示すように、後述するクランプユニット７１（図２（ａ）参照）によるバンド部１０１の引張りによって、バンド部１０１が銃身部３の引込み口４２の開口部４３から装置内部に引き込まれ（挿入され）、図１、図２（ａ）に示すように、クランプユニット７１の後部から装置外側（後部上方）へ排出されるまでの装置内部に構成された、バンド部１０１が通過する経路である。
【００４４】
すなわち引込経路４１は、引込み口４２の開口部４３を一端とするとともにクランプユニット７１の後部を他端として装置内部に延びる経路であり、その全長に亘ってバンド部１０１の幅と同等又は若干大きな幅を有している。  
このため、バンド部１０１が引込経路４１に配置された状態においては、該バンド部１０１の幅方向の中心部が引込経路４１の幅方向の中心４１ｃに一致した状態となる。
【００４５】
また以下の説明において、バンド部１０１が引込経路４１に沿って引込み口４２の開口部４３側からクランプユニット７１側へ引込まれる方向を、引込み方向下流側Ｄｄに設定するとともに、その逆方向を引込み方向上流側Ｄｕに設定する。
【００４６】
さらに、図２（ａ）、（ｂ）に示すように、この案内金具１０よりも引込み方向下流側Ｄｄ（後方側）、且つ可動銃身部６側には、切断ユニット３１が設けられている。この切断ユニット３１は、切断刃３２と、該切断刃３２を下側から支持する台座３３と、操作レバー４の握り込み操作によって切断刃３２が一体に上下動するように台座３３ごと上下動させる不図示の切断刃作動レバーを備えている。
【００４７】
切断刃３２は、上述した操作レバー４の握り込み操作によって、その刃先が引込経路４１を横切るように上方へ突出する切断位置と引込経路４１に対して下方へ退避した退避位置との間で上下動する。さらに切断刃３２の刃先は、図２（ｂ）に示すように、引込経路４１およびバンド部１０１の幅よりも幅広であるとともに、平面視で幅方向の外側から中間部３２ａに向けて後方に凸となり、幅方向の中間部３２ａが最も後方に位置するように湾曲した平面視孤形状（平面視湾曲形状）に形成している。さらに切断刃３２は、その幅方向の中間部３２ａが引込経路４１の幅方向の中心４１ｃに一致する位置に配設されている。
【００４８】
図１、図２（ａ）に示すように、銃身部３の切断刃３２よりもさらに後方側であって、固定銃身部５側には、クランプユニット７１が設けられている。このクランプユニット７１は固定クランプ片７２と、該固定クランプ片７２に対して可動する可動クランプ片７３と、該可動クランプ片７３を上下に揺動させる不図示のクランプ作動レバーを備えている。
【００４９】
図２（ａ）に示すように、固定クランプ片７２と可動クランプ片７３とは、引込経路４１に対して上下各側で対向配置され、可動クランプ片７３における固定クランプ片７２と対向する上面には、バンド部１０１に係合する鋸歯状の係合歯７３ａが形成されている。そして操作レバー４の握り込み操作と、必要に応じて行う握込みの開放操作に応じて不図示のクランプ作動レバーが作動することで可動クランプ片７３が上下に揺動する。
【００５０】
クランプユニット７１は、可動クランプ片７３が上下に揺動することで、固定クランプ片７２に近接したとき引込経路４１を通過するバンド部１０１を固定クランプ片７２とともに挟み込む一方で、固定クランプ片７２に対して離間したときバンド部１０１の挟持力を解除し、この動作を繰り返すことでバンド部１０１を引込方向下流側Ｄｄへ引張る引張り力を該バンド部１０１に付与して結束バンド１００を締め付ける構成としている。
【００５１】
なお、本実施形態のバンド切断装置１によって電線等の被結束対象物を結束する際に用いられる結束バンド１００は公知の結束バンドであり、帯状のバンド部１０１と、該バンド部１０１の基端側に備えられ、バンド部１０１の先端側を挿通可能な通路１００ａが形成されたバックル部１０２（ヘッド部）とが一体に形成された合成樹脂製である（図２（ａ）参照）。上記の被結束対象物に巻き掛けるように環状にしたバンド部１０１の先端部をバックル部１０２の通路１００ａに挿通させ、該通路１００ａから延出させたバンド部１０１の先端部を引っ張ることで、被結束対象物を締め付けることができ、バックル部１０２の通路１００ａの内壁には、締め付けたバンド部１０１が緩まないように該バンド部１０１に係止する係止爪１０３が通路１００ａに向けて舌片状に突出形成されている（同図参照）。
【００５２】
図１〜図４に示すように、案内金具１０は、前記引込経路４１に対して近接又は離間するように互いに相対的にスライド自在に上下各側で対向する上側案内金具１１と下側案内金具２１とで構成し、これら上側案内金具１１と下側案内金具２１とは互いに前後各側、すなわち引込方向の上流側Ｄｕと下流側Ｄｄとにずらして並設されているが、互いに引込経路４１において略隙間なく並設されている。
【００５３】
上側案内金具１１は固定銃身部５の先端部に設けられるとともに、下側案内金具２１は可動銃身部６の先端部に設けられており、該可動銃身部６の上下方向の搖動に伴って上側案内金具１１に対して接離可能に構成している。  
ここで下側案内金具２１が最下位置まで移動した状態を案内金具１０の開状態とし、最上位置まで移動した状態を案内金具１０の閉状態とする。
【００５４】
図３に示すように、上側案内金具１１と下側案内金具２１とは、引込経路４１に対して上下各側において該引込経路４１を幅方向に跨ぐように配置され、夫々の幅方向の中心が引込経路４１の幅方向の中心４１ｃに一致するように配置している。
【００５５】
図３、図４に示すように上側案内金具１１は、引込み口４２の上部を構成する基部１２と、引込み口４２の開口部４３の幅方向の両側において基部１２から下方へ突出する側壁部１３とで一体に形成されている。さらに、上側案内金具１１の引込方向下流側Ｄｄに有する下流面２０（後面）（図２（ａ）、（ｂ）、図３参照）であって正面視左側上端位置（図４参照）には、該位置から後方へ突出するストッパ１４が設けられている。このストッパ１４は、閉状態まで上動した下側案内金具２１に当接し、それ以上、下側案内金具２１が上動することを規制するものである。なお本実施形態において正面視とは引込方向の上流側Ｄｕから下流側Ｄｄを見たときを示す。
【００５６】
上側案内金具１１は、基部１２と一対の側壁部１３，１３とでこれらの内側に下方へ向けて開口する溝部１５を構成している。  
溝部１５の底面１６は、バンド部１０１の幅と同等又は若干広い幅で平坦状に形成され、その幅方向の中心が引込経路４１の幅方向の中心４１ｃに一致するように基部１２の下面に形成されている。この溝部１５の底面１６は、後述するガイド面１８と比較して摩擦係数が大きく形成されている。溝部１５の内側面１７は、溝部１５の底面１６の幅方向の両端から下方、且つ幅方向に延びる底面１６に対して垂直にバンド部１０１の厚みと同等又は若干広い長さで立ち上がる縦面としての底部側内側面１７ａ，１７ａと、該底部側内側面１７ａ，１７ａの下端から側壁部１３の突出方向の先端部、すなわち溝部１５の開口部１５ａの縁部まで徐々に溝幅が大きくなるように傾斜した開口側内側面１７ｂ，１７ｂとで形成している。
【００５７】
このような溝部１５は、その幅方向の中心が引込み口４２の開口部４３の幅方向の中心４１ｃに一致するように上側案内金具１１に形成されている。
【００５８】
そして、溝部１５の底面１６側には、引込経路４１に沿って引き込まれるバンド部１０１の引込み口４２の開口部４３を通過する部分が配置される配置領域５１が設けられており、この配置領域５１は溝部１５の底面１６とその幅方向の両端の底部側内側面１７ａとで形造られている。
【００５９】
すなわち、本実施形態では、上側案内金具１１は、正面視で配置領域５１と引込み口４２の開口部４３とが一致するように固定銃身部５の先端部に固定されている。
【００６０】
すなわちこの配置領域５１はバンド部１０１の長さ方向の直交断面と略同じ横長の長方形状であるとともに、バンド部１０１の該直交断面と同等又は若干大きな空間である。
【００６１】
また、側壁部１３の開口側内側面１７ｂには、下側案内金具２１の開状態から閉状態への上動に伴ってバンド部１０１を配置領域５１（開口部４３）の側へガイドするガイド面１８を有している。本実施例においては、開口側内側面１７ｂ全体をガイド面１８として形成しているが、これに限らず、ガイド面１８は、開口側内側面１７ｂの少なくとも底面１６側の部分のみに形成してもよい。
【００６２】
このようなガイド面１８は、図４に示すように、側壁部１３における溝部１５の内側側面１７に有し、溝深さ方向（溝部１５の開口部１５ａ側から底面１６側）程徐々に溝幅方向内側へ迫り出した（張り出した）迫り出し形状で形成されている。詳しくは、ガイド面１８は、側壁部１３の下方向（突出方向）の下端部（先端部）から上側（基部１２側）程、幅方向の中心に有する配置領域５１側へ向けて直線状に傾斜した傾斜形状で形成され、その傾斜角度αが、上下各案内金具１１，２１の開閉方向、すなわち上下方向に対して０度より大きく且つ４５度以下で形成されている。なお、本実施形態におけるガイド面１８は上下方向に対して３０度の傾斜面（傾斜状の平坦面）で形成している。
【００６３】
要するに上側案内金具１１に形成された上述した溝部１５のガイド面１８は、溝部１５の底面１６側に有する配置領域５１の幅となるまで深さ方向に沿って徐々に溝幅が小さくなる傾斜形状で形成している。
【００６４】
さらにガイド面１８は、その表面に研磨処理、メッキ処理、或いは潤滑剤を塗布する等の表面処理を施すことによって、上側案内金具１１の引込方向上流側Ｄｕの上流面１９（前面）と比較して摩擦係数が小さな円滑ガイド面としている。
【００６５】
また、上側案内金具１１の上流面１９は、バックル部１０２を受け止める受け面として平坦状に形成されている。この上流面１９は、引込経路４１に対して垂直に設けられており、バンド部１０１のバックル部１０２からの延出部分が配置領域５１に配置された状態で後述する引張り工程によって引込経路４１に沿ってある程度引き込まれるとバックル部１０２が面接触状態に当接してそれ以上バンド部１０１が引込経路４１に引き込まれないように受け止める平坦状の面である。
【００６６】
そしてこの上側案内金具１１の上流面１９は、仮に、下側案内金具２１が上側案内金具１１よりも引込方向上流側Ｄｕ（前側）に配置されることで閉状態の下側案内金具２１の上流面２９（図１、図２（ａ）、（ｂ）参照）にバックル部１０２が当接した場合、その当接面積よりもバックル部１０２を受け止めたときの当接面積が大きくなるように形成している。
【００６７】
図２（ａ）、（ｂ）、図６に示すように、下側案内金具２１は、閉状態において引込み口４２の下部を構成する基部２２と、図３、図６に示すように、引込み口４２の開口部４３の幅方向の両側において基部２２から上方へ突出する側壁部２３とで一体に形成され、幅方向の一方の側壁部２３（図４中の紙面左側の側壁部２３ａ）は、他方の側壁部２３（図４中の紙面右側の側壁部２３ｂ）よりも上方へ長く突出形成されている。これにより、下側案内金具２１は上側案内金具１１よりも深さが浅い溝部２５を有する正面視略Ｌ字形状に形成されている。
【００６８】
このような溝部２５は、その幅方向の中心が引込み口４２の開口部４３の幅方向の中心４１ｃに一致するように下側案内金具２１に形成されている。また、下側案内金具２１の溝部２５の底面２６は、バンド部１０１の幅に相当する上側案内金具１１の底面１６よりも幅広であり、且つ上側案内金具１１の溝部１５の開口部１５ａ側の溝幅よりも幅小に形成している。
【００６９】
一対の側壁部２３，２３のうち、上方へより長く突出する長辺側壁部２３ａは、開状態において上側案内金具１１のガイド面１８よりもより上方へ位置する突出長さで形成されている（図４参照）。すなわち長辺側壁部２３ａは、開状態において正面視で上側案内金具１１とオーバーラップする長さで形成されている。
【００７０】
長辺側壁部２３ａは、閉状態においてその上面２３ａｕ（突出方向先端面）がストッパ１４に当接する長さで突出形成されている。詳しくは、下側案内金具２１は、開状態から閉状態まで上動したとき長辺側壁部２３ａの上面２３ａｕがストッパ１４の下面１４ａに当接することで（図４中の仮想線で示した下側案内金具２１参照）、それ以上、上動しないように規制される。  
なお、下側案内金具２１の長辺側壁部２３ａの上面２３ａｕと、上側案内金具１１のストッパ１４の下面１４ａとは互いに面接触状態で当接するように平坦状に形成されている。
【００７１】
図４、図６（ｃ）に示すように、正面視で上側案内金具１１と閉状態における下側案内金具２１との間には、引込み口４２の開口部４３が画成される。
【００７２】
詳しくは、上側案内金具１１の基部１２、一対の側壁部１３，１３によって引込み口４２の上部、引込み口４２の幅方向両側の側部がそれぞれ構成され、さらに閉状態の下側案内金具２１の基部２２によって引込み口４２の下部が構成され、これにより、引込み口４２の開口部４３は、上側案内金具１１の基部１２、一対の側壁部１３，１３および閉状態の下側案内金具２１の基部２２によって画成される。
【００７３】
また図４に示すように、一対の側壁部２３，２３のうち長辺側壁部２３ａより短い突出長さの短辺側壁部２３ｂは、開状態において上側案内金具１１の下面（溝部２５の開口部１５ａの縁部）まで至らない長さで上方へ突出形成している。詳しくは短辺側壁部２３ｂは、開状態において、その上面と上側案内金具１１の下面との間に、バンド部１０１の厚みよりも大きな隙間２４（以下、「バンド差込み隙間２４」という。）が構成される長さで突出形成される。
【００７４】
これにより、上側案内金具１１と開状態における下側案内金具２１とは、バンド差込み隙間２４を通じて側方から対向空間２７にバンド部１０１を差し込み可能に構成している。
【００７５】
さらにまた、互いに対向する上側案内金具１１と下側案内金具２１との間には、正面視で対向空間２７が互いの溝部１５，２５によって構成される。  
ここで、上述したように上側案内金具１１によって構成される配置領域５１は、溝部１５の底面１６側の幅方向の中間位置に有しているため、該配置領域５１は対向空間２７の一部として該対向空間２７の最上部かつ対向空間２７の幅方向の中間部に位置している。
【００７６】
また上述した構成から明らかなとおり、引込み口４２は、開口部４１ｃを備えるとともに、正面視で該開口部４１ｃの周縁部において開口部４１ｃを形造るための領域であって、開口部４１ｃの上側に位置する上側案内金具１１の基部１２と、開口部４１ｃの幅方向の両側に位置する側壁部１３の側壁部１３，13と、閉状態において開口部４１ｃの下側に位置する下側案内金具２１の基部２２とで構成されたものである（図６（ｃ）参照）。
【００７７】
上述したバンド切断装置１は、図１に示すように操作レバー４の各ポジションＰ０〜Ｐ３に対応する段階的な握り込み操作によって案内金具１０によるバンド部１０１の引込経路４１への案内（位置決め、姿勢矯正）（案内工程）と、バンド部１０１の引込方向下流側Ｄｄへの引張りによる被結束物の締め付け（引張り工程）と、バンド部１０１の余剰部分の切断（切断工程）とに対応する各操作を行うことができる。
【００７８】
続いて案内金具１０によるバンド部１０１の案内工程と、引張り工程と、切断工程とを連続して行う実施例について図５（ａ）、（ｂ）、図６（ａ）、（ｂ）、（ｃ）、図７（ａ）、（ｂ）、図８（ａ）、（ｂ）を用いて説明する。
【００７９】
なお、本実施例の案内工程では、バンド部１０１の引込経路４１の引込み口４２への幅寄せ（位置決め）する工程について説明する。  
図５（ａ）、（ｂ）は、案内金具によりバンド部を幅方向において引込経路４１の引込み口４２へ位置決めする実施例の説明図であり、詳しくは図５（ａ）は案内金具の正面図、図５（ｂ）は、図５（ａ）中のＢ−Ｂ線矢視における要部拡大図である。図６（ａ）、（ｂ）（ｃ）は、いずれも案内金具によりバンド部を幅方向において引込経路の引込み口へ位置決めする実施例の図５（ａ）に示す工程後に行う工程の説明図であり、いずれも案内金具の正面図を示すものである。図７（ａ）は、バンド部の引張りの様子を示す図２（ａ）に相当する断面図であり、図７（ｂ）は、案内金具に対するバックル部の正面視位置を示す案内金具の正面図である。図８（ａ）は、バンド部の余剰部分を切断刃で切断する様子を示す図２（ａ）に相当する断面図であり、図８（ｂ）は、結束バンドの切断端部を含む要部を示す平面図である。
【００８０】
まず案内工程では、図５（ａ）に示すように、バンド部１０１のバックル部１０２からの延出部分（以下、単に「バンド部１０１」ともいう。）を、バンド差込み隙間２４を通じて開状態の上下各案内金具１１，２１の対向空間２７へ差し込む。これにより、バンド部１０１は、図５（ａ）、（ｂ）に示すように、上下各案内金具１１，２１の対向空間２７に挿通された状態となる。
【００８１】
ここで、下側案内金具２１には、短辺側壁部２３ｂが形成されているため、作業者（バンド切断装置１の使用者）は、バンド部１０１を、バンド差込み隙間２４を通じて上下各案内金具１１，２１の対向空間２７へ差し込む際に、下側案内金具２１の短辺側壁部２３ｂを跨ぐようにして容易に差し込むことができる。一方、一旦、対向空間２７へ挿通したバンド部１０１は、短辺側壁部２３ｂに引掛かることで意に反してバンド差込み隙間２４を通じて対向空間２７から案内金具１０の外部へ抜け難くなり、バンド部１０１を対向空間２７に安定して挿通した状態に留めておくことができる。さらに、短辺側壁部２３ｂは、対向空間２７と案内金具１０の外部との境界に位置するため、該短辺側壁部２３ｂがこの境界位置を示す目印としても機能し、作業者に対してバンド部１０１を確実に対向空間２７に差し込んだことを認識させることができる。
【００８２】
ここで作業者が操作レバー４をポジションＰ０からＰ１（図１参照）へ握り込むことによって下側案内金具２１が上動する。そうすると、上下各案内金具１１，２１の対向空間２７に差し込まれたバンド部１０１が引込み口４２の開口部４３（配置領域５１）に対して例えば、図５（ａ）、（ｂ）に示すように、正面視で左側へずれた位置に配置された状態において、図６（ａ）に示すように、上下各案内金具１１，２１の対向空間２７に配置されたバンド部１０１を下側案内金具２１によって押し上げることができる。これにより、バンド部１０１は、図６（ｂ）に示すように、上側案内金具１１のガイド面１８に当接する。
【００８３】
下側案内金具２１のさらになる上動に伴って、バンド部１０１はガイド面１８に当接しながらさらに押上げられる。ここでガイド面１８は上述した円滑ガイド面として形成している。このため下側案内金具２１のさらになる上動に伴って、バンド部１０１は、該ガイド面１８によって幅方向における配置領域５１を有する側、つまり引込み口４２の開口部４３を有する側（図６（ｃ）中の紙面右側）へスムーズに幅寄せされる（図６（ｃ）中の太矢印参照）。やがて下側案内金具２１が閉状態まで上動すると、下側案内金具２１は、上側案内金具１１に設けたストッパ１４に当接してその上動が規制される。このとき図６（ｃ）に示すように、バンド部１０１は、配置領域５１に配置された状態となり、該バンド部１０１が引込経路４１（引込み口４２の開口部４３）に幅方向において位置決めされる（図６（ｃ）中の太矢印参照）。
【００８４】
続く引張り工程では、作業者が操作レバー４をポジションＰ１からＰ２（図１参照）へさらに握り込み操作（必要に応じてポジションＰ２からＰ１へ握り込みの開放操作）をすることによって図７（ａ）、（ｂ）に示すように、可動クランプ片７３が揺動し、固定クランプ片７２とともに、バックル部１０２が上側案内金具１１の上流面１９に当接するまでバンド部１０１を配置領域５１（引込み口４２の開口部４３）に位置決めした状態で引込方向下流側Ｄｄへ引張る。
【００８５】
ここで、バックル部１０２が上側案内金具１１の上流面１９に当接した状態においては、図７（ａ）、（ｂ）に示すように、バックル部１０２は、上側案内金具１１の平坦状の上流面１９に面接触状態でしっかりと受け止められる。すなわち、バンド部１０１の引張り工程の過程で該バンド部１０１が仮に引込経路４１に対して傾いた場合であっても、バックル部１０２が上流面１９に受け止められることにより、該バックル部１０２の姿勢が矯正されるため、結果的に引張り工程が完了時にバンド部１０１が引込経路４１に対して傾かないようにバンド部１０１の姿勢矯正を行うことができる。
【００８６】
続く切断工程では、作業者が操作レバー４をポジションＰ２からＰ３（図１参照）へさらに握り込むことによって図８（ａ）に示すように、切断刃３２が上動し、バンド部１０１の余剰部分を切断除去することができる。  
【００８７】
ここで、バンド部１０１は上述した案内工程によって、該バンド部１０１が幅方向において、引込経路４１に位置決めされるとともに、上述した引張り工程によって、引込経路４１に対して傾かないように姿勢保持されている。このため切断工程では、バンド部１０１が切断刃３２に対してずれることがなく該バンド部１０１の残余部分を該切断刃３２によって切断することができ、バンド部１０１の切断端部を、図８（ｂ）に示すように、幅方向両側に角部を有しない切断形状とすることができる。
【００８８】
次に、案内金具１０によりバンド部１０１を引込経路４１へ案内する案内工程の他の実施例として、引込経路４１に対するバンド部１０１の姿勢矯正の実施例について図９を用いて説明する。
【００８９】
図９は、本実施形態の案内金具１０によるバンド部１０１の姿勢矯正の実施例の説明図であり、詳しくは、図９（ａ１）、（ａ２）、（ａ３）は案内金具１０の正面図、図９（ｂ１）は、図９（ａ１）のＣ−Ｃ線矢視における要部拡大図、図９（ｂ２）は、図９（ａ２）のＤ−Ｄ線矢視における要部拡大図、図９（ｂ３）は、図９（ａ３）のＥ−Ｅ線矢視における要部拡大図、図９（ｃ２）は図９（ｂ２）中のＸ１部拡大図、図９（ｃ３）は図９（ｂ３）中のＸ２部拡大図である。また、この姿勢矯正の実施例の後には、引張り工程と切断工程とをこの順で行うが、これら各工程については、上述した案内工程の後に行ったものと同様であるため、その説明を省略する。
【００９０】
まず、作業者が操作レバー４をポジションＰ０からＰ１（図１参照）へ握り込むことによって下側案内金具２１が上動する。そうすると、図９（ａ１）、（ｂ１）に示すように、上下各案内金具１１，２１の対向空間２７に差し込まれたバンド部１０１が引込経路４１（開口部４３）の幅方向の中心４１ｃに対して平面視で傾いた姿勢で配置された状態において、図９（ａ１）中の矢印に示すように、上下各案内金具１１，２１の対向空間２７に配置したバンド部１０１を下側案内金具２１によって押し上げることができ、これにより、バンド部１０１は、図９（ａ２）、（ｂ２）、（ｃ２）に示すように、上側案内金具１１のガイド面１８に当接する。
【００９１】
具体的には、下側案内金具２１の上動に伴ってバンド部１０１を押し上げていくと、図９（ｃ２）に示すように、平面視で傾いたバンド部１０１の幅方向の一端１０１ａが幅方向の両側に有する一対のガイド面１８のうち一方のガイド面１８（図９（ｃ２）中の紙面左側のガイド面１８）の上流側端１８ａに当接するとともに、平面視で傾いたバンド部１０１の幅方向の他端１０１ｂが他方のガイド面１８（同図中の紙面右側のガイド面１８）の下流側端１８ｂに当接する。
【００９２】
この状態で下側案内金具２１がバンド部１０１を押し上げていくと、それに伴ってバンド部１０１は、その幅方向の間隔が上方向程徐々に狭くなる一対のガイド面１８によって徐々に姿勢矯正（案内）されていき（図９（ａ２）、（ｂ２）参照）、最終的に図９（ａ３）、（ｂ３）、（ｃ３）に示すように、姿勢矯正が完了したと同時に配置領域５１（引込み口４２の開口部４３）に配置された状態となる。
【００９３】
すなわち、バンド部１０１は、配置領域５１（引込み口４２の開口部４３）に配置された状態において平面視でその幅方向の中心が引込経路４１の幅方向の中心４１ｃに一致するように案内金具１０によって抉ることがなく姿勢矯正された状態となる。
【００９４】
そして、このように上下各案内金具１１，２１を用いて引張り工程によりバンド部１０１を引込方向下流側Ｄｄへ引込む前にバンド部１０１を姿勢矯正することで、その後に行う引張り工程時にバンド部１０１を引込方向下流側Ｄｄへ正確に引張ることができる。
【００９５】
なお、上述では、バンド部１０１の案内工程として位置決めの実施例と姿勢矯正の実施例とを別々に説明したが、バンド部が引込経路４１に対して幅方向に位置ずれし、且つ平面視で傾いた姿勢で対向空間２７に配置された場合には、言うまでもなく、上下各案内金具１１，２１によってバンド部１０１の位置決めと姿勢矯正とを同時に行うことができる。
【００９６】
上述したバンド切断装置１は、バンド部１０１の基端側にバックル部１０２を備えた結束バンド１００におけるバンド部１０１を内部に引込み可能に開口する引込み口４２が設けられ、該引込み口４２より挿入されたバンド部１０１を切断するバンド切断装置１であって、バンド部１０１を引込み口４２の開口部４３へ案内する案内手段としての案内金具１０がバンド部１０１の引込経路４１への引込み口４２に備えられ（図１、図２（ａ）、（ｂ）参照）、案内金具１０は、引込み口４２の開口部４３を端部として内部へ延びる引込経路４１に対して直交方向（上下方向）にスライド自在に対向するとともに、互いに離間する開状態から互いに近接する閉状態への案内金具１０の移動に伴ってバンド部１０１を引込み口４２の開口部４３（配置領域５１）に案内するバンド案内部としてのガイド面１８が設けられ（図３、図４参照）、閉状態において引込み口４２を構成する上側案内金具１１（第１案内部材）と下側案内金具２１（第２案内部材）との一対を備えたものである（図１〜図４参照）。
【００９７】
上記構成によれば下側案内金具２１の上動に伴ってガイド面１８が、結束バンド１００を配置領域５１に案内することを通じてバンド部１０１を引込経路４１（開口部４３）の幅方向の中心４１ｃを有する配置領域５１へ幅寄せして結果的に引込み口４２の開口部４３（配置領域５１）に対して位置決めすることができる。
【００９８】
しかも、下側案内金具２１は、引込経路４１に対して開閉（接離）する方向、すなわちバンド部１０１の引込み方向の成分を有しない方向である、引込経路４１に対して直交する上方向へ移動しながら結束バンド１００のバンド部１０１を一対の案内金具１１，１２で上下各側から挟み込むように案内することで、該バンド部１０１が案内金具１０に対して抉ることがなく、結束バンド１００が引込経路４１に対して平面視で傾いた姿勢である場合においてもその姿勢矯正を行うことができる。
【００９９】
これにより、案内金具１０よりも引込方向下流側Ｄｄに、バックル部１０２の通路１００ａから延出したバンド部１０１を切断する切断刃３２とバンド部１０１を引込方向下流側Ｄｄへ引き込むクランプユニット７１が配設されたバンド切断装置１において、バンド部１０１を被結束物へ巻き掛けて該バンド部１０１の先端側をバックル部１０２の通路１００ａに挿通し、バックル部１０２から延出したバンド部１０１を引張ることで引締めて切断する際に、バンド部１０１を切断刃３２に対して適切な位置および姿勢で配置することができ、このような適切な位置および姿勢で配置したバンド部１０１を切断刃３２で切断することで例えば、バンド部１０１の切断端部を角部を取り除いた適切な切断形状とすることができる。
【０１００】
この発明の態様として、上側案内金具１１は、引込み口４２の上部を構成する基部１２と、引込み口４２の開口部４３の幅方向の両側において基部１２から下側案内金具２１の側へ突出する側壁部１３とで形成されている。さらに、結束バンド１００を基部１２側に有する配置領域５１へガイドするガイド面１８は、前記側壁部１３に、側壁部１３の突出方向の先端部から基部１２側程、引込み口４２の開口部４３側へ傾斜した傾斜形状に形成されたものである（図４参照）。
【０１０１】
上記構成によれば、バンド部１０１が引込み口４２の開口部４３に対して幅方向のいずれの側へ位置ずれしている場合であっても、開状態から閉状態（上方向）への下側案内金具２１の移動に伴って幅方向へ位置ずれした側に有する側壁部１３に形成されたガイド面１８が結束バンド１００に引込経路４１に直交する方向（上方向）から当接しながらガイドするため、結束バンド１００が上側案内金具１１と下側案内金具２１とに対して抉ることがなく該結束バンド１００を、引込み口４２の開口部４３の側へガイドすることができる（図６（ｂ）、図９（ａ３）参照）。
【０１０２】
これにより、結束バンド１００が案内金具１０に対して抉ることがなく該結束バンド１００を、配置領域５１側へガイド（幅寄せおよび姿勢矯正）することができる。
【０１０３】
またこの発明の態様として、ガイド面１８は、案内金具１０の上下方向に対して０度より大きく且つ４５度以下の傾斜角度（α）で傾斜した傾斜面で形成されたものである（同図参照）。
【０１０４】
上記構成によれば、ガイド面１８を、案内金具１０の上下方向に対して４５度以下で傾斜した傾斜面で形成することにより下側案内金具２１が開状態から閉状態への上動する際に、ガイド面１８は、バンド部１０１を上側案内金具１１と下側案内金具２１とで挟み込むようにしてガイドするが、その際に、バンド部１０１がガイド面１８に過度な荷重で押し付けられることがなく、ガイド面１８は、バンド部１０１に対して適度な力で当接しながら引込み口４２の開口部４３の側へガイドすることができる。
【０１０５】
一方、ガイド面１８を、上下方向に対して０度より大きく傾斜した傾斜面で形成することにより、バンド部１０１が引込み口４２の開口部４３（配置領域５１）に対して幅方向に位置ずれしている場合であっても、バンド部１０１をガイド面１８によって引込み口４２の開口部４３（配置領域５１）へ確実にガイドすることができる。
【０１０６】
またこの発明の態様として、上側案内金具１１には、引込経路４１における装置内部から引込み口４２の開口部４３側の方向に相当する引込方向上流側Ｄｕに上流面１９（前面）が形成され、ガイド面１８は、上流面１９（前面）と比較して摩擦係数が小さな円滑ガイド面で形成されたものである。  
上記構成によれば、結束バンド１００にガイド面１８が当接してガイドする際に該ガイド面１８に結束バンド１００が引掛かることがなく、該ガイド面１８によって結束バンド１００を配置領域５１にスムーズにガイドすることができる。
【０１０７】
またこの発明の態様として、引込経路４１における装置１内部から引込み口４２の開口部４３側の方向に相当する引込方向上流側Ｄｕに配置された側の案内部材（案内金具）を上側案内金具１１（上流側案内部材）に設定するとともに、これら上側案内金具１１と下側案内金具２１とは、引込経路においてずらして並設され、引込方向下流側Ｄｄに配置された側の案内部材を下側案内金具２１（下流側案内部材）に設定し、ガイド面１８は、下側案内金具２１の開状態から閉状態への上動に伴ってバンド部１０１を引込み口４２の開口部４３（配置領域５１）にガイド可能に形成され、さらに上側案内金具１１の引込方向上流側Ｄｕに有する上流面１９は、バックル部１０２が当接可能に平坦状に形成されたものである（図２（ａ）、（ｂ）、図３、図４参照）。
【０１０８】
上記構成によれば、結束バンド１００が案内金具１０に対して平面視で傾いた姿勢である場合であっても、結束バンド１００のバンド部１０１が引込方向下流側Ｄｄへ引張られる際に上側案内金具１１の上流面１９にバックル部１０２が当接する（図７（ａ）、（ｂ）参照）。
【０１０９】
これにより、バンド部１０１を切断刃３２によって切断する直前においてバンド部１０１の切断刃３２に対する姿勢を矯正することができる。
【０１１０】
またこの発明の態様として、一対の案内金具１１，１２のうち、バックル部１０２の当接面積が大きくなる側の上側案内金具１１が、下側案内金具２１よりも引込方向上流側Ｄｕに配置されたものである（図１、図２（ａ）、（ｂ）、図３参照）。
【０１１１】
上記構成によれば、結束バンド１００が引込方向下流側Ｄｄへ引込まれることにより、バックル部１０２が案内金具１０に当接した際に、該バックル部１０２との当接面積が大きな上側案内金具１１の平坦状の上流面１９によってバックル部１０２を安定して受け止めて姿勢矯正することができる。
【０１１２】
またこの発明の態様として、引込方向上流側Ｄｕに配置された上側案内金具１１が固定案内部材で構成されるとともに、引込方向下流側Ｄｄに配置された下側案内金具２１が上側案内金具１１に対して開閉可能に移動する可動案内部材で構成されたものである（図１、図６（ａ）、（ｂ）、図９（ａ）、（ｂ）参照）。
上記構成によれば、上側案内金具１１を固定案内部材で構成することにより、該上側案内金具１１に設けた上流面１９がバックル部１０２に対して移動することがないため、該上流面１９によりバックル部１０２を安定して受け止めることができる。
【０１１３】
一方、下側案内金具２１を可動案内部材で構成することにより、下側案内金具２１の上動に伴って上側案内金具１１とともに結束バンド１００を引込経路４１に対して幅方向に位置決めするとともに姿勢矯正することができる。
□この発明の構成と、上述の実施形態との対応において、
この発明の案内手段は、実施形態の案内金具１０に対応し、  
以下同様に、  
第１案内部材、上流側案内部材又は固定案内部材は、上側案内金具１１に対応し、  
第２案内部材、下流側案内部材又は可動案内部材は、下側案内金具２１に対応するが、この発明は、上述の実施形態の構成のみに限定されるものではなく、多くの実施の形態を得ることができる。
□例えば、図１０（ａ）、（ｂ）は、いずれも他の実施形態の案内金具１０Ａ，１０Ｂの要部を示す正面図であり、図１０（ａ）に示す上側案内金具１１Ａのガイド面１８１、および図１０（ｂ）に示す上側案内金具１１Ｂのガイド面１８２は共に、溝部１５の深さ方向（上下方向）に沿って配置された複数の傾斜面で構成することができる。
【０１１４】
具体的には、図１０（ａ）に示すように、上側案内金具１１Ａの開口側内側面１７ｂ１は、溝部１５の深さ方向の浅い側から深い側に沿って曲面１７１と、第１傾斜状平坦面１７２と、該第１傾斜状平坦面１７２よりも傾斜角度が小さい第２傾斜状平坦面１７３とでなる複数の傾斜面が配置された構成とすることができる。
【０１１５】
これら複数の傾斜面は、いずれも溝深さ方向の底面１６側程、溝幅方向内側へ傾いた傾斜面であり、これら複数の傾斜面で構成される開口側内側面１７ｂ１のうち、ガイド面は、溝深さ方向（上下方向）に対して０度より大きく且つ４５度以下の範囲を満たす角度（α１，α２，α３）で傾斜した部分である。
【０１１６】
すなわち、上側案内金具１１Ａは、傾斜角度がα１で傾斜する第１傾斜状平坦面１７２と、傾斜角度がα２で傾斜する第２傾斜状平坦面１７３と、曲面１７１のうち接線角度が上記範囲を満たす角度（α３）の部分を、ガイド面に設定している。
【０１１７】
また例えば、図１０（ｂ）に示すように、上側案内金具１１Ｂの開口側内側面１７ｂ２は、溝部１５の深さ方向の浅い側から深い側に沿って第１曲面１７４と、第２曲面１７５と、傾斜状平坦面１７６とでなる複数の傾斜面が配置された構成とすることができる。
【０１１８】
これら複数の傾斜面は、いずれも溝深さ方向の底面１６側程、溝幅方向内側へ傾いた傾斜面であり、これら複数の傾斜面で構成される開口側内側面１７ｂ２のうち、ガイド面は、溝深さ方向（上下方向）に対して０度より大きく且つ４５度以下の範囲を満たす角度（α４，α５，α６）で傾斜した部分である。
【０１１９】
すなわち、上側案内金具１１Ｂは、第１曲面１７４のうち接線角度が上記範囲を満たす角度（α４）の部分と、全ての部分の接線角度（α５）が上記範囲を満たす第２曲面１７５と、傾斜角度がα６で傾斜する傾斜状平坦面１７６を、ガイド面に設定している。
【０１２０】
このように、ガイド面１８１，１８２を上下方向に沿って配置された複数の傾斜面で構成することにより、複数の傾斜面の傾斜角度に応じてバンド部１０１の幅方向へのガイド量を変更することができ、下側案内金具２１が上動するに伴ってガイド面１８１，１８２によりバンド部１０１を幅方向において引込み口４２の開口部４３の側へガイドするガイド量を適切に設定することが可能となる。
【０１２１】
また他の実施形態として、下側案内金具２１の溝部２５の底面は、上述した実施例のように平坦状に形成した底面２６に限らず（図４参照）、図１１に示す下側案内金具２１０の溝部２５の底面２６０のように、正面視で幅方向の中心が下方へ緩やかに窪んだ円弧状に形成してもよい。
【０１２２】
このように、溝部２５の底面２６０を正面視で下方へ凹んだ凹状に形成することで、バンド部１０１を下側案内金具２１０によって押上げる際に上側案内金具１１のガイド面１８だけでなく下側案内金具２１の凹状の底面２６０によってもバンド部１０１を引込み口４２の開口部４３（配置領域５１）へガイドすることができ、上側案内金具１１のガイド面１８と下側案内金具２１０の凹状の底面２６０とでバンド部１０１をスムーズに幅寄せすることができる。  
ここで凹状の底面２６０は、正面視でバンド部１０１の幅の３倍以上の半径（Ｒ）を有する円弧状に形成することが好ましい（図１１参照）。
【０１２３】
また上述した実施形態のバンド切断装置１においては、下側案内金具２１の上動に伴って結束バンド１００のバンド部１０１が上側案内金具１１のガイド面１８に当接することで該バンド部１０１を配置領域５１へ幅寄せしたり、平面視における姿勢を矯正する実施例について説明したが、この実施形態に限らず、図１２に示すように、上側案内金具１１Ｃのガイド面１８３は、バックル部１０２が当接可能に構成するとともに、配置領域５１０はバックル部１０２を配置可能に構成する一方で、下側案内金具２１Ｃの底面２６Ｃは、バックル部１０２の底部全体が当接可能な幅を有して形成してもよい。
【０１２４】
これにより、一対の案内金具１１，２１によって結束バンド１００のバンド部１０１を位置決めしたり、姿勢矯正したりするときと同じ要領で、バックル部１０２を下側案内金具２１Ｃの上動に伴って上側案内金具１１Ｃのガイド面１８３に当接させて、配置領域５１０へ位置決めしたり、姿勢矯正することで、結果的にバンド部１０１を引込経路４１に対して位置決めしたり、姿勢矯正することができる。
【０１２５】
さらに他の実施形態として、バンド切断装置は、上述したバンド切断装置１のように、銃身部３の上側を固定銃身部５で構成するとともに、銃身部３の下側を可動銃身部６で構成するに限らず、図１３（ａ）に示すバンド切断装置１Ａのように、銃身部３Ａの下側を固定銃身部６Ａで構成するとともに、銃身部３の上側を可動銃身部５Ａで構成してもよい。  
なお、図１３（ａ）は、他の実施形態のピストル型のバンド切断装置の要部を示す側面図である。  
すなわち、案内金具１０は、上述した実施形態のように上側案内金具１１を固定案内金具として構成し、下側案内金具２１を可動案内金具として構成するに限らず、上側案内金具１１を可動案内金具として構成し、下側案内金具２１を固定案内金具として構成するなど、上側案内金具１１と下側案内金具２１とのうち少なくとも一方が可動する構成とすることができる。
【０１２６】
さらに他の実施形態として、上側案内金具１１を引込方向上流側Ｄｕ、下側案内金具２１を引込方向下流側Ｄｄに配置したが、これに限らず、図示省略するが上側案内金具１１を引込方向下流側Ｄｄ、下側案内金具２１を引込方向上流側Ｄｕに配置した構成としてもよい。
【０１２７】
また他の実施形態として、バンド切断装置は、上述したバンド切断装置１のようにピストル型で構成するに限らず（図１参照）、図１３（ｂ）、（ｃ）に示すバンド切断装置１Ｂ，１Ｃように、ホッチキス型で構成してもよく、或いは図示省略するがペンチ型で構成する等いずれのタイプで構成してもよい。  
なお、図１３（ｂ）は、ホッチキス型のバンド切断装置の要部を示す側面図であり、図１３（ｃ）は、ホッチキス型であるが図１３（ｂ）とは異なる実施形態のバンド切断装置の要部を示す側面図である。
【０１２８】
具体的には、図１３（ｂ）に示すバンド切断装置１Ｂは、下側操作レバー６１に対して上側操作レバー６２の先端が上下に揺動可能に下側操作レバー６１の基部に上側操作レバー６２の基部が枢着されたホッチキス型のバンド切断装置である。
【０１２９】
この構成においては、ピストル型のバンド切断装置１の操作レバー４の握り込み操作と同じ要領で、上側操作レバー６２の先端側を段階的に押し下げる操作によって案内工程、引張り工程、切断工程、或いはこれら工程の切換えを行う構成としている。
【０１３０】
図１３（ｃ）に示すバンド切断装置１Ｃは、上側操作レバー６２の先端側に、例えば切断操作用ボタン６３を備えている。この切断操作用ボタン６３は、上側操作レバー６２の先端側の押し下げ操作よりも強い力によって押し下げ可能に構成しており、切断操作用ボタン６３と共に上側操作レバー６２を押し下げると、まず上側操作レバー６２が段階的に押し下がり、案内工程、引張り工程或いはこれら工程の切換えが行われ、上側操作レバー６２が最下位置に達した後でさらに切断操作用ボタン６３ごと上側操作レバー６２を押し下げようとすると、上側操作レバー６２に対して切断操作用ボタン６３のみが押し下げられ、内部の切断ユニット３１に備えた不図示の切断刃作動レバーが作動することでバンド部１０１の切断工程が行われる構成としている。  
このように、バンド切断装置はホッチキス型の構成についても様々な実施形態で構成することができる。
【０１３１】
ところで、作業スペースの制約上、バンド切断装置を用いて作業者の手の届き難い高い位置に配置された被結束物を結束バンド１００で結束する際に、作業者が被結束物に対してさらに上方へ手を伸ばした姿勢で作業するような状況が作業スペースの制約等の要因から存在する。このような作業状況においては、作業者がピストル型、ホッチキス型のいずれのタイプであってもバンド切断装置が案内金具１０を有する側、すなわち装置先端部分を被結束物を有する側の下方へ向けた姿勢で操作レバー（４或いは６１，６２）を操作する必要がある。
【０１３２】
そしてこのような作業状況においてはピストル型のバンド切断装置１，１Ａよりもホッチキス型のバンド切断装置１Ｂ，１Ｃの方が好適であるといえる。この点についてピストル型のバンド切断装置として図１に示すバンド切断装置１を例に採り、ホッチキス型のバンド切断装置として図１３（ｂ）に示すバンド切断装置１Ｂを例に採り、図１４（ａ）、（ｂ）を参照しながら説明する。  
なお、図１４はピストル型よりもホッチキス型のバンド切断装置に好適な実施例の説明図であり、詳しくは図１４（ａ）は、ピストル型のバンド切断装置を用いた実施例の説明図であり、図１４（ｂ）は、ホッチキス型のバンド切断装置を用いた実施例の説明図である。
【０１３３】
図１４（ａ）に示すように、ピストル型のバンド切断装置１は、握持部２や操作レバー４が装置本体の基部（後方側）に有するため、作業者は、案内金具１０を備えた装置先端が下方へ向くように握持部２を握った側の手首を大きく曲げる必要があるとともに握持部２を握った手を高く挙げて操作レバー４の握り込み操作をする必要がある。
【０１３４】
これに対して、ホッチキス型のバンド切断装置１Ｂは、図１４（ｂ）に示すように、上下の操作レバー６２，６１の先端側、すなわち案内金具１０に近い部分を握り込んで操作できるため、作業者は、ピストル型と比較して手を高く挙げることなく、また、手首を大きく曲げる必要がなく上下の操作レバー６２，６１の握り込み操作をすることができる。
【０１３５】
よって、ホッチキス型のバンド切断装置１Ｂにおいては、高い位置に配置された被結束物に対してさらに上方から結束バンド１００で結束する作業状況であっても、作業者にとって楽な姿勢で握り込み操作をすることができるメリットを有する。
【０１３６】
なお、作業者の手が届き難い高い位置に配置された被結束物よりもさらに上方に手を挙げて、装置先端が被結束物に向ように被結束物に対して手を回し込む姿勢で結束作業する上述した作業状況に限らず、バンド切断装置を用いて作業者の手が届き難い例えば、下方や側方など上方以外の位置に配置された被結束物を結束バンド１００で結束する際に、作業者がバンド切断装置を握った状態でその手を被結束物よりもさらに遠方まで伸ばし、装置先端が被結束物に向ように被結束物に対して手を回し込む姿勢で作業する場合においても、上述した効果と同様の効果を得ることができる。
【０１３７】
また、バンド切断装置による結束バンド１００のバンド部１０１の案内工程から引張り工程への切り換えや、引張り工程から切断工程への切り換えについての構成は、特に限定せず、公知の構成によって実現することができるため具体的な構成について省略するが、結束バンド１００のバンド部１０１の案内或いは引張りに応じた操作レバー４の握り込みの際に、図示省略するカムや作動レバー等の内部機構の協働によって次の工程へ自動で切り換える構成としてもよい。
【０１３８】
或いは、バンド切断装置は、図示省略するが、案内工程から引張り工程への切り換えや、引張り工程から切断工程への切り換えが可能に装置本体に内蔵した公知のクラッチ（操作切換え手段）と、該クラッチを切り換えるクラッチレバーを備え、操作レバー（４或いは６１，６２）の操作により各工程の実行することとは別に、各工程の切り換えの際にクラッチレバーを操作することにより、クラッチを介して次の操作へ切り換える構成としてもよい。
【０１３９】
また、上述したバンド切断装置においては、引張り工程は、操作レバー４のポジションＰ１からＰ２への握り込みにより実行するとともに、切断工程は、操作レバー４のポジションＰ２からＰ３への握り込みにより実行する実施例を採用したが、このように操作レバー４の握り込み量に応じて引張り工程と切断工程とを段階的に行う構成ではなく、引張り工程において、バンド部１０１の締付け力が所定値以上になった時点で自動的に切断刃３２が上動してバンド部１０１を切断するように切り換わる構成としてもよい。
【０１４０】
さらに例えば、上述したバンド切断装置においては、案内工程の後に引張り工程を実行する実施例を採用したが、これに限らず、引張り工程の後に案内工程を実行する実施例としてもよい。
【０１４１】
また、他の実施形態として、上述した切断刃３２の刃先は、幅方向の中間部３２ａ程後方に位置する平面視湾曲形状に形成したが（図２（ｂ）参照）、これに限らず、幅方向に平行な直線状に形成するなど、その形状は限定しない。
【符号の説明】
【０１４２】
１，１Ａ，１Ｂ，１Ｃ…バンド切断装置
１０Ａ，１０Ｂ…案内金具（案内手段）
１１，１１Ａ，１１Ｂ，１１Ｃ…上側案内金具（第１案内部材）
１２…基部
１３…側壁部
１８，１８１，１８２，１８３…ガイド面
１９…上流面
２１，２１０，２１Ｃ…下側案内金具（第２案内部材）
４１…引込経路
４２…引込み口
４３…引込み口の開口部
１０１…バンド部
１０２…バックル部
１００…結束バンド
Ｄｕ…引込方向上流側
Ｄｄ…引込方向下流側
【図１】
2018030638.tif 000003
【図２】
2018030638.tif 000004
【図３】
2018030638.tif 000005
【図４】
2018030638.tif 000006
【図５】
2018030638.tif 000007
【図６】
2018030638.tif 000008
【図７】
2018030638.tif 000009
【図８】
2018030638.tif 000010
【図９】
2018030638.tif 000011
【図１０】
2018030638.tif 000012
【図１１】
2018030638.tif 000013
【図１２】
2018030638.tif 000014
【図１３】
2018030638.tif 000015
【図１４】
2018030638.tif 000016
【図１５】
2018030638.tif 000017